(57)【要約】【課題】複数の周波数帯やアプリケーションに対応した複数のアンテナ素子を配置する場合、素子間の結合による特性の劣化や、結合による素子単体の調整が困難になるといった問題が生じる。【解決手段】地板１０と、第１の周波数帯に対応する第１のアンテナ素子１１と、第１の周波数帯の近傍あるいは重なる第２の周波数帯に対応する第２のアンテナ素子１２と、前記地板１０と前記第１のアンテナ素子１１とを接続する第１の給電部１３と、前記地板１０と前記第２のアンテナ素子１２とを接続する第２の給電部１４とを備え、前記第１のアンテナ素子１１を前記地板１０の長辺に直交に、前記第２のアンテナ素子１２を前記地板１０の長辺に平行に配置する構成としたアンテナ装置である。【選択図】図１
2006229529.tif 000002
【特許請求の範囲】
【請求項１】
地板と、第１の周波数帯に対応する第１のアンテナ素子と、第１の周波数帯の近傍あるいは重なる第２の周波数帯に対応する第２のアンテナ素子と、前記地板と前記第１のアンテナ素子とを接続する第１の給電部と、前記地板と前記第２のアンテナ素子とを接続する第２の給電部とを備え、前記第１のアンテナ素子を前記地板の長辺に直交に、前記第２のアンテナ素子を前記地板の長辺に平行に配置する構成としたアンテナ装置。
【請求項２】
第１の周波数帯をＢｌｕｅｔｏｏｔｈ、第２の周波数帯をＷＬＡＮ（Ｗｉｒｅｌｅｓｓ  Ｌｏｃａｌ  Ａｒｅａ  Ｎｅｔｗｏｒｋ）に対応する構成とした請求項１に記載のアンテナ装置。
【請求項３】
地板に、フレキシブルな接続部を介して別の地板を電気的に接続し、両地板を開閉可能な構成とした請求項１に記載のアンテナ装置。
【請求項４】
請求項１〜３に記載のアンテナ装置を用いた携帯無線機。
【発明の詳細な説明】
【技術分野】
【０００１】
本発明は、移動体通信などに用いられる携帯無線機と、それに搭載されるアンテナ装置に関するものであり、特に複数の周波数、システムを用いるアンテナ装置に関するものである。
【背景技術】
【０００２】
移動体通信に用いられる携帯無線機の代表例である携帯電話は、従来の電話としての機能のみならず、様々なアプリケーションに対応したシステムの搭載が進められている。
【０００３】
例としては、ＦＭラジオやテレビ、ＧＰＳ、ＢｌｕｅｔｏｏｔｈやＷＬＡＮなどがある。
【０００４】
しかし、これらのシステムは各々使用する周波数や、無線回路が異なるため、各システムに対応したアンテナ素子が必要になる。
【０００５】
従来のアンテナ装置を図５に示す。
【０００６】
地板１００に、第１の周波数を用いて、第１のシステムに対応する第１のアンテナ素子１０１と、第２の周波数を用いて、第２のシステムに対応する第２のアンテナ素子１０２が接続されている。このように、複数のシステムが必要なアンテナ装置の場合、それぞれのシステムに対応した複数のアンテナ素子が必要であった。
【０００７】
なお、この出願の発明に関する先行技術文献としては、例えば特許文献１が知られている。
【特許文献１】特開２００２−２３７７７９号公報
【発明の開示】
【発明が解決しようとする課題】
【０００８】
しかしながら、単に１つの地板に複数のアンテナ素子を配置する場合、素子間の結合による特性の劣化や、結合による素子単体の調整が困難になるといった問題が生じていた。
【０００９】
本発明は、上記課題を解決するもので、アンテナ素子間の結合を低減させ、アイソレーション特性を改善したアンテナ装置、およびそれを用いた携帯無線機を提供することである。
【課題を解決するための手段】
【００１０】
この目的を達成するために、本発明は、地板と、第１の周波数帯に対応する第１のアンテナ素子と、第１の周波数帯の近傍あるいは重なる第２の周波数帯に対応する第２のアンテナ素子と、前記地板と前記第１のアンテナ素子とを接続する第１の給電部と、前記地板と前記第２のアンテナ素子とを接続する第２の給電部とを備え、前記第１のアンテナ素子を前記地板の長辺に直交に、第２のアンテナ素子を前記地板の長辺に平行に配置する構成としたアンテナ装置であり、アンテナ素子の配置を互いに直交させることで、素子間の結合を低減し、アイソレーション特性を改善したアンテナ装置、およびそれを用いた携帯無線機を提供することが可能となる。
【発明の効果】
【００１１】
本発明は、アンテナ素子の配置を互いに直交に配置することにより、アンテナ素子間の結合を低減することができ、アイソレーション特性を改善したアンテナ装置およびそれを用いた携帯無線機を提供する。
【発明を実施するための最良の形態】
【００１２】
（実施の形態１）
以下、実施の形態１を用いて、本発明の特に請求項１、２、４記載の発明について図面を参照しながら説明する。
【００１３】
図１は、本発明の実施の形態１におけるアンテナ装置の構成を示す図である。
【００１４】
図１において、第１のアンテナ素子１１は、地板１０の長辺と直交する方向に、第２のアンテナ素子１２は、地板１０の長辺と平行な方向に配置されている。また、第１のアンテナ素子１１に給電する第１の給電部１３、第２のアンテナ素子１２に給電する第２の給電部１４を有している。
【００１５】
このように、第１のアンテナ素子１１と第２のアンテナ素子１２とが異なる方向を向く配置とすることで、電磁界の向く方向を変えることができ、それによって素子間の結合を低減し、アイソレーション特性を改善したアンテナ装置を得ることが可能となり、さらには、このアンテナ装置を用いた携帯無線機を得ることができる。
【００１６】
また、地板１０の長辺の両端側に配置することで、アンテナ素子間の距離を離すことができるため、素子間の結合を低減することが可能となる。
【００１７】
図１の配置におけるアンテナ素子間の通過特性を図２に示す。また比較として、２つのアンテナ素子を地板の長辺と直交する方向に配置した場合の、アンテナ素子間の通過特性を図３に示す。
【００１８】
図２、３により、アンテナの周波数帯域である２．４〜２．５ＧＨｚ間において、図２に示す本実施の形態におけるアンテナ素子間の通過特性が、図３に示すアンテナより特性が５［ｄＢ］程度改善しており、この結果からもアイソレーション特性が改善していることが分かる。
【００１９】
また、アンテナ素子に対応する周波数をＢｌｕｅｔｏｏｔｈとＷＬＡＮの周波数帯である２．４〜２．５ＧＨｚに合わせることで、これらのアプリケーションに対応したアンテナ装置を得ることが可能となり、さらには、このアンテナ装置を用いた携帯無線機を得ることができる。
【００２０】
（実施の形態２）
以下に、実施の形態２を用いて、本発明の請求項３に記載の発明について図面を参照しながら説明する。
【００２１】
図４は、本発明の実施の形態２におけるアンテナ装置の構成を示す図である。
【００２２】
なお、本実施の形態１と同様の構成を有するものについては、同一符号を付しその説明を省略する。
【００２３】
図４において、地板１０と第２の地板２０とは、フレキシブルな接続部１９を介して電気的に接続しているとともに、地板１０、２０は開閉可能な構造となっている。
【００２４】
本実施の形態では、地板１０にフレキシブルな接続部１９を介して第２の地板２０を電気的に接続することで、開閉可能な地板１０、２０においても、実施の形態１と同様、アイソレーション特性を改善したアンテナ装置を提供することが可能となり、さらには、このアンテナ装置を用いた携帯無線機を得ることができる。
【００２５】
なお、本発明の構成はこれらの実施の形態のみに限定されるものではなく、例えば他のシステムへの対応や、地板に形成するスリット、切り欠きの形状を変えても同様の効果が得られる。
【産業上の利用可能性】
【００２６】
以上のように本発明は、複数の周波数とシステムに対応する複数のアンテナ素子を設けたときにそれらの素子間の結合を低減し、アイソレーション特性を改善したアンテナ装置、および無線通信機を提供するものであり、特に複数のアプリケーションをシステムとして用いる小型の携帯電話等に有用である。
【図面の簡単な説明】
【００２７】
【図１】本発明の実施の形態１におけるアンテナ装置の構成を示す図
【図２】本発明の実施の形態１におけるアンテナ装置の通過特性を示す図
【図３】２つのアンテナ素子を長辺に直交に配置した場合のアンテナ装置の通過特性を示す図
【図４】本発明の実施の形態２におけるアンテナ装置の構成を示す図
【図５】従来のアンテナ装置の構成を示す図
【符号の説明】
【００２８】
１０  地板
１１  第１のアンテナ素子
１２  第２のアンテナ素子
１３  第１の給電部
１４  第２の給電部
【図１】
2006229529.tif 000003
【図２】
2006229529.tif 000004
【図３】
2006229529.tif 000005
【図４】
2006229529.tif 000006
【図５】
2006229529.tif 000007